(57)【要約】【課題】外観性を確保しつつ、現場作業を最小限度に抑えて高品質で効率の良い施工を可能とする壁体用通気口装置を提供することにある。【解決手段】壁体用通気口装置は、壁体Ｗの通気開口部に取付けてその内外を連通する通気路２ａを形成するとともに同壁体Ｗの一部として組み込みが可能なベース板２と、このベース板２の外周に嵌合して上記通気路２ａから連通する下部開口４ｈを形成した外部フード４とから構成され、上記ベース板２には、引掛け操作により外部フード４の前後方向動作を拘束する引掛機構Ｐと、この引掛機構Ｐによって拘束保持された状態の外部フード４をその下部開口４ｈの近傍位置で上記ベース板２に固定する締結機構Ｑとを同外部フード４が覆う範囲内に構成したものである。【選択図】図２
2007187425.tif 000002
【特許請求の範囲】
【請求項１】
壁体（Ｗ）の通気開口部に取付けてその内外を連通する通気路（２ａ）を備えて同壁体（Ｗ）の一部として組み込みが可能なベース板（２）と、このベース板（２）の外周に嵌合して上記通気路（２ａ）から連通する下部開口（４ｈ）を形成した外部フード（４）とからなる壁体用通気口装置において、
上記ベース板（２）には、引掛け操作により外部フード（４）の前後方向動作を拘束する引掛機構（Ｐ）と、この引掛機構（Ｐ）によって拘束保持された状態の外部フード（４）をその下部開口（４ｈ）の近傍位置で上記ベース板（２）に固定する締結機構（Ｑ）とを同外部フード（４）が覆う範囲内に構成したことを特徴とする壁体用通気口装置。
【請求項２】
前記引掛機構（Ｐ）は、外部フード（４）に形成した差込み爪（２１）と、この差込み爪（２１）を受けるベース板（２）側の差込み口（Ｈ）とから構成し、この差込み口（Ｈ）は、上記ベース板（２）から突出して差込み爪（２１）の前面側に回り込む前縁部材（１４）により形成したことを特徴とする請求項１記載の壁体用通気口装置。
【請求項３】
前記前縁部材（１４）は、差込み口（Ｈ）の前縁部に張り出してその近傍における差込み爪（２１）の進入動作を規制する張出部（１６）を備えることを特徴とする請求項２記載の壁体用通気口装置。
【発明の詳細な説明】
【技術分野】
【０００１】
本発明は、壁体の通気開口部に取付ける壁体用通気口装置に関するものである。
【背景技術】
【０００２】
特許文献１に示される通気口装置は、そのベース板側を壁体の通気開口部に取付けてコーキングにより防水施工を要する。このような作業は建築現場において壁体部材を含む現場状況に合わせて作業をせざるを得ないことから、作業の品質、工数の点で多くに課題を抱えている。
【０００３】
そのような建築現場における作業を削減して高品質化と高効率化を図るために、壁体の外側に大きく飛び出す外部フードをベース板と別体に構成し、このベース板の取付けおよびコーキングを壁体製造の一環として壁体を工場内で事前に処理し、この壁体を建築現場で建て付けした後にそのベース板に外部フードを所定の作業手順で取付ける工法が提案されている。
【特許文献１】特開２００５−１６４１８６号公報
【発明の開示】
【発明が解決しようとする課題】
【０００４】
しかしながら、別体構成の外部フードの取付けについて、その正面側からのビス止め構成は外観を損ね、側面のビス止めは壁面が側方に近接する入り隅部で適用工具が限定され、また、複数のビス止めは作業性に欠けるという問題を内包することから実現に至っていない。
【０００５】
本発明の目的は、外観性を確保しつつ、現場作業を最小限度に抑えて高品質で効率の良い施工を可能とする壁体用通気口装置を提供することにある。
【課題を解決するための手段】
【０００６】
請求項１に係る発明は、壁体Ｗの通気開口部に取付けてその内外を連通する通気路２ａを形成するとともに同壁体Ｗの一部として組み込みが可能なベース板２と、このベース板２の外周に嵌合して上記通気路２ａから連通する下部開口４ｈを形成した外部フード４とからなる壁体用通気口装置において、上記ベース板２には、引掛け操作により外部フード４の前後方向動作を拘束する引掛機構Ｐと、この引掛機構Ｐによって拘束保持された状態の外部フード４をその下部開口４ｈの近傍位置で上記ベース板２に固定する締結機構Ｑとを同外部フード４が覆う範囲内に構成したことを特徴とする。
【０００７】
上記通気口装置のベース板は、壁体に取付けることにより壁体に組み込まれてその内外を連通し、また、外部フードは、引掛機構の引掛け操作によって前後方向に拘束されて保持され、かつ、外部フードの下部開口の近傍位置の締結機構によりベース板に固定されるとともに、引掛機構および締結機構が外部フードにより覆われる。
【０００８】
請求項２に係る発明は、請求項１の構成において、前記引掛機構Ｐは、外部フード４に形成した差込み爪２１と、この差込み爪２１を受けるベース板２側の差込み口Ｈとから構成し、この差込み口Ｈは、上記ベース板２から突出して差込み爪２１の前面側に回り込む前縁部材１４により形成したことを特徴とする。
上記ベース板から突出する前縁部材によって同ベース板の前面に引掛機構の差込み口が形成され、この差込み口に外部フードの差込み爪が差し込まれることにより外部フードがベース板に引っ掛け保持される。
【０００９】
請求項３に係る発明は、請求項２の構成において、前記前縁部材１４は、差込み口Ｈの前縁部に張り出してその近傍における差込み爪２１の進入動作を規制する張出部１６を備えることを特徴とする。
上記差込み爪の進入位置が差込み口の前縁側に外れた場合は張出部によって差込み爪の進入が規制される。
【発明の効果】
【００１０】
本発明により以下の効果を奏する。
請求項１の発明により、壁体の製造時に前方突出の小さいベース板を取付けて壁体に組み込むことによりベース板が一体の壁体として建付け施工が可能となり、この壁体が建築現場で建付けされた後において、そのベース板について簡易な引掛け操作と外部フードの下部開口の近傍位置における正面側からの締結操作とにより、引掛機構および締結機構を露出することなく外部フードを取付けることができるので、壁体用通気口装置の外観性を確保しつつ、現場作業を最小限度に抑えて高品質で効率の良い施工が可能となる。
【００１１】
請求項２の発明により、ベース板の前面側で通気口を覆うルーバー板を差込み支持する舌片等の突出部を利用して差込み口を形成することができるので、引掛機構を簡易に構成することができる。
【００１２】
請求項３の発明により、差込み爪の進入位置が差込み口の前縁側に外れた場合は張出部によって差込み爪の進入が規制されることから、引っ掛け操作の過誤が目視で容易に発見できるので、同外部フードの異常取付けを回避することができる。
【発明を実施するための最良の形態】
【００１３】
本発明の実施の形態について以下に図面に基づいて詳細に説明する。
図１は、壁体用通気口装置の分解斜視図、図２は、組み付け状態の縦断面図である。
壁体用通気口装置１は、壁体Ｗの内外を連通する筒状の通気路２ａを背面側に延設して壁体Ｗの通気開口部に取付けるベース板２と、このベース板２の通気路２ａの開口を塞ぐように装着するルーバー板３と、これらベース板２およびルーバー板３を覆って下部開口４ｈを形成した外部フード４とから構成される。
【００１４】
詳細には、ベース板２には左右に間を空けて２つの舌片１３，１３をその前面側に切り起こし、これら２つの舌片１３，１３はその下方から差し込まれたルーバー板３の上端縁を支持するべく下方に開いて屈曲突設する。これら左右の舌片１３，１３には、両者を連結する前縁部材１４を設けることにより両舌片１３，１３の間に差込み爪を受けるための差込み口Ｈを画成し、この前縁部材１４には、差込み口Ｈの前方に張り出してその近傍における差込み爪の進入動作を規制する張出部１６を設ける。また、通気路２ａの外周には建物側の通気ダクトＤと嵌合固定するための弾性爪２ｂを付設する。
【００１５】
ルーバー板３は、ベース板２の通気路２ａの開口と対応する範囲に通気案内用のルーバー３ａによる開口を形成する。ルーバー板３の上辺部３ｂは上記舌片１３，１３に差し込んだ際の遊びを排除するように前方に傾斜させるとともに、左右の側辺３ｃ、３ｃを前側に折り曲げて曲げ剛性を確保する。下辺部は図示せぬ取付孔によりベース板２に締結固定する。また、必要により、ルーバー３ａを覆うメッシュ３ｄを設ける。
【００１６】
外部フード４は、少なくともベース板２の通気路２ａの開口正面および左右の側面を覆うカバー板４ａを同ベース板２の上辺部および左右の側辺部の外周面に嵌合して構成する。このカバー板４ａには上記通気路２ａと連通する下部開口４ｈを形成し、上部に庇部４ｂを設ける。庇部４ｂには、その下面にベース板２の差込み口Ｈに進入する差込み爪２１を下垂状に形成し、この差込み爪２１と上記差込み口Ｈとにより外部フード４の引っ掛け操作でその前後方向動作を拘束する引掛機構Ｐを構成する。また、外部フード４の下端にベース板２の前面部と接する横断部材２２を左右方向に架設し、この横断部材２２とベース板２との間に両者間を締結固定するビス２３等による締結機構Ｑを設ける。
【００１７】
上述の構成による壁体用通気口装置は、ベース板２を壁体Ｗの通気開口部に取付けることにより壁体に組み込まれてその内外を連通し、また、外部フード４は、引掛機構Ｐにより引掛け操作でベース板２に引掛け保持でき、かつ、締結機構Ｑにより外部フード４の下部開口４ｈから正面操作でベース板２に締結固定されるとともに、引掛機構Ｐおよび締結機構Ｑが外部フード４により覆われる。
【００１８】
したがって、壁体Ｗの工場生産時において前方突出の小さいベース板２を取付けて同壁体Ｗに組み込むことにより、ベース板２が一体化された壁体Ｗとして建付け施工が可能となり、この壁体Ｗが建築現場で建付けされた後に、そのベース板２について簡易な引掛け操作と外部フード４の下部開口４ｈの近傍位置における正面側からの操作軸線Ａによる締結操作とにより、引掛機構Ｐおよび締結機構Ｑを露出することなく外部フード４を取付けることができる。したがって、壁体用通気口装置の外観性を確保しつつ、現場作業を最小限度に抑えて高品質で効率の良い施工が可能となる。
【００１９】
上記引掛機構の差込み口Ｈは、ルーバー板３の上端を差込み支持する舌片１３等の突出部を利用することにより、前縁部材１４の付加だけで引掛機構Ｐを簡易に構成することができる。また、差込み口Ｈの前縁部１４に張出部１６を備えることから、差込み爪２１の進入位置が差込み口Ｈの前縁側に外れた場合は張出部１６によって差込み爪２１の進入が規制される。したがって、引っ掛け操作の過誤により差込み爪２１が差込み口Ｈを外れた場合は目視で容易に発見できるので、同外部フード４の異常取付けを回避することができる。
【００２０】
なお、以上の説明における引掛機構Ｐは上記構成に限定されることなく、差込み口Ｈと差込み爪２１をベース板２と外部フード４について逆に構成した場合を含め、上からの引っ掛け操作によって外部フード４の前後方向動作を拘束する構成を幅広く含むものである。
また、上記壁体用通気口装置は、図に示す角形に限定されることなく、丸形を含む幅広いフード形状について広く適用しうることが明らかである。
さらに、上記壁体用通気口装置は、壁体組込み用に限定されることなく、通常の現場施工についても、作業性の点で利点が得られることから、広く適用の対象となることが明らかである。
【図面の簡単な説明】
【００２１】
【図１】通気口装置の分解斜視図である。
【図２】構成の従断面図延長部材の嵌合部の拡大断面図にである。
【符号の説明】
【００２２】
１    壁体用通気口装置
２    ベース板
２ａ    通気路
３    ルーバー板
３ｂ    上辺部
４    外部フード
４ｈ    下部開口
１３    舌片（引掛機構）
１４    前縁部材（引掛機構）
１６    張出部
２１    差込み爪（引掛機構）
２２    横断部材
２３    ビス（締結機構）
Ｄ    通気ダクト
Ｈ    差込み口（引掛機構）
Ｐ    引掛機構
Ｑ    締結機構
Ｗ    壁体
Ａ    操作軸線
【図１】
2007187425.tif 000003
【図２】
2007187425.tif 000004